(57)【特許請求の範囲】
【請求項１】
空調室の天井近傍に配置されており、吹き出し口（３７）が形成されている吹き出し部（３６）と、
前記吹き出し口に設けられており、それぞれ独立して上下方向の風向角度を変更することが可能な第１フラップ及び第２フラップ（３４ａ，３４ｂ，３４ｃ，３４ｄ）と、
冷房運転が開始されてから所定時間が経過するまでの初期期間において、前記第１フラップ及び前記第２フラップに異なるスイング動作を行わせる初期冷房制御を実行する制御部と、
を備え、
前記吹き出し口は、４角形の４辺に沿ってそれぞれ配置される細長い形状の第１吹き出し口（３７ａ）、第２吹き出し口（３７ｂ）、第３吹き出し口（３７ｃ）及び第４吹き出し口（３７ｄ）を有し、
前記第１フラップ（３４ａ，３４ｃ）は、互いに対向するように位置しており、前記第１吹き出し口及び前記第３吹き出し口に配置される２つのフラップであり、
前記第２フラップ（３４ｂ，３４ｄ）は、互いに対向するように位置しており、前記第２吹き出し口及び前記第４吹き出し口に配置される２つのフラップであり、
前記制御部は、
過去の運転実績を学習することで、前記初期期間の長さを決定する学習部（１６６）を有する、
空調室内機（３０）。
【請求項２】
前記制御部は、前記初期冷房制御において、前記第１フラップ及び前記第２フラップの前記スイング動作を、それぞれ異なるタイミングで開始させる、
請求項１に記載の空調室内機。
【請求項３】
駆動することで前記吹き出し口から吹き出される空気流れを生成するファン（３２）を更に備え、
前記制御部は、前記初期冷房制御において、前記ファンの風量が最大となるように前記ファンを駆動させる、
請求項１又は２に記載の空調室内機。
【発明の詳細な説明】
【技術分野】
【０００１】
本発明は、空調室内機に関する。
【背景技術】
【０００２】
従来より、空調室内機には、空調室内の温度分布をできるだけ均一にし、かつ、快適な気流となるように、風向角度を変更することが可能なフラップを吹き出し口近傍に備えるものがある。また、特許文献１（特開２００１−１３２９７６）に開示されている空気調和機のように、冷房運転時には、床面付近に冷たい空気が溜まらないように、空気が吹き出し口から略水平方向に吹き出されるような姿勢をフラップに採らせることが多い。
【発明の概要】
【発明が解決しようとする課題】
【０００３】
ところで、冷房運転時にユーザの快適性を向上させるためには、例えば、冷房運転が開始された後、できる限り短い時間で空調室内の温度分布を均一にすることが考えられる。
【０００４】
そこで、本発明の課題は、冷房運転が開始された後に空調室内の温度分布を均一にするために必要な時間を短縮することで、ユーザの快適性を向上させることができる空調室内機を提供することにある。
【課題を解決するための手段】
【０００５】
本発明の第１観点に係る空調室内機は、吹き出し部と、第１フラップ及び第２フラップと、制御部と、を備えている。吹き出し部は、空調室の天井近傍に配置されている。また、吹き出し部には、吹き出し口が形成されている。第１フラップ及び第２フラップは、吹き出し口に設けられている。また、第１フラップ及び第２フラップは、それぞれ独立して上下方向の風向角度を変更することが可能である。制御部は、初期冷房制御を実行する。初期冷房制御とは、初期期間において、第１フラップ及び第２フラップに異なるスイング動作を行わせる制御のことである。また、初期期間とは、冷房運転が開始されてから所定時間が経過するまでの期間のことである。吹き出し口は、４角形の４辺に沿ってそれぞれ配置される細長い形状の第１吹き出し口、第２吹き出し口、第３吹き出し口及び第４吹き出し口を有する。第１フラップは、互いに対向するように位置しており、第１吹き出し口及び第３吹き出し口に配置される２つのフラップである。第２フラップは、互いに対向するように位置しており、第２吹き出し口及び第４吹き出し口に配置される２つのフラップである。そして、制御部は、過去の運転実績を学習することで初期期間の長さを決定する学習部を有する。
【０００６】
本発明の第１観点に係る空調室内機では、冷房運転が開始されてから所定時間が経過するまでの初期期間において、第１フラップ及び第２フラップに異なるスイング動作を行わせる初期冷房制御が実行されている。
【０００７】
ところで、発明者は、第１フラップ及び第２フラップを備える空調室内機において、第１フラップ及び第２フラップに吹き出し口から略水平方向に空気が吹き出されるような姿勢を継続して採らせる場合よりも、第１フラップ及び第２フラップにそれぞれ異なるスイング動作を行わせる場合の方が、冷房運転の運転開始後、短時間で、空調室内の温度分布を均一することができるという知見を得た。
【０００８】
このため、冷房運転の開始時に行われる初期冷房制御において、第１フラップ及び第２フラップにそれぞれ異なるスイング動作を行わせることで、第１フラップ及び第２フラップに吹き出し口から略水平方向に空気が吹き出されるような姿勢を採らせる場合と比較して、冷房運転が開始された後に空調室内の温度分布を均一にするために必要な時間を短縮することができる。
【０００９】
これによって、ユーザの快適性を向上させることができる。
【００１０】
また、この空調室内機では、互いに対向するように位置する２つのフラップである第１フラップと、互いに対向するように位置する２つのフラップである第２フラップとに、異なるスイング動作を行わせる初期冷房制御が実行される。
【００１１】
ところで、発明者は、４つのフラップを備える空調室内機において、すべてのフラップに同じタイミングでスイング動作を行わせる場合よりも、すべてのフラップに吹き出し口から略水平方向に空気が吹き出されるような姿勢を継続して採らせる場合の方が、冷房運転の運転開始後、短時間で、空調室内の温度分布を均一することができるという知見を得た。また、発明者は、４つのフラップを備える空調室内機において、すべてのフラップに吹き出し口から略水平方向に空気が吹き出されるような姿勢を継続して採らせる場合よりも、互いに対向するように位置する２つのフラップから構成される第１フラップと第２フラップとにそれぞれ異なるタイミングでスイング動作を行わせる場合の方が、冷房運転の運転開始後、短時間で、空調室内の温度分布を均一することができるという知見を得た。
【００１２】
このため、初期冷房制御において、互いに対向するように位置する２つのフラップである第１フラップと、互いに対向するように位置する２つのフラップである第２フラップとに、それぞれ異なるタイミングでスイング動作を行わせることで、すべてのフラップに吹き出し口から略水平方向に空気が吹き出されるような姿勢を採らせる場合、あるいは、すべてのフラップに同じタイミングでスイング動作を行わせる場合と比較して、冷房運転が開始された後に空調室内の温度分布を均一にするために必要な時間を短縮することができる。
【００１３】
また、この空調室内機では、過去の運転実績を利用して第１フラップ及び第２フラップに異なるスイング動作を行わせる時間を決定することができるため、空調室内の環境に応じたスイング動作の実行時間を決定することができる。
【００１４】
本発明の第２観点に係る空調室内機は、第１観点に係る空調室内機において、制御部は、初期冷房制御において、第１フラップ及び第２フラップのスイング動作を、それぞれ異なるタイミングで開始させる。この空調室内機では、初期冷房制御において、第１フラップ及び第２フラップのスイング動作をそれぞれ異なるタイミングで開始させることで、第１フラップ及び第２フラップに異なるスイング動作を行わせることができる。
【００１５】
本発明の第３観点に係る空調室内機は、第１観点又は第２観点に係る空調室内機において、駆動することで吹き出し口から吹き出される空気流れを生成するファンを更に備える。また、制御部は、初期冷房制御において、ファンの風量が最大となるようにファンを駆動させる。この空調室内機では、初期冷房制御の実行時にはファンの風量が最大となるため、例えば、ファンの風量が小さい場合と比較して、短時間で空調室内の温度分布を均一にすることができる。
【発明の効果】
【００１６】
本発明の第１観点に係る空調室内機では、ユーザの快適性を向上させることができる。
【００１７】
本発明の第２観点に係る空調室内機では、第１フラップ及び第２フラップのスイング動作をそれぞれ異なるタイミングで開始させることで、第１フラップ及び第２フラップに異なるスイング動作を行わせることができる。
【００１８】
本発明の第３観点に係る空調室内機では、短時間で空調室内の温度分布を均一にすることができる。
【図面の簡単な説明】
【００１９】
【図１】本発明の一実施形態に係る空気調和機の概略冷媒回路図。
【図２】室内ユニットの外観斜視図。
【図３】室内ユニットを室内側から視た平面図。
【図４】水平フラップの変更可能範囲を示す図。
【図５】室内ユニットの概略縦断面図。
【図６】空気調和機の備える制御部の制御ブロック図。
【図７】各水平フラップの動作を説明するためのタイミングチャート。
【図８】初期冷房動作制御部の制御動作の流れを示すフローチャート。
【図９】試験室内に設置した室内ユニットを水平吹き固定状態で空気調和機の冷房運転を開始した場合、試験室内に設置した室内ユニットを全同期スイング状態で空気調和機の冷房運転を開始した場合、あるいは、試験室内に設置した室内ユニットを対面スイング状態で空気調和機の冷房運転を開始した場合の平均室温が設定温度に達するまでの時間及び消費電力を示す図。
【図１０】試験室内に設置した室内ユニットを水平吹き固定状態で空気調和機の冷房運転を開始した場合、試験室内に設置した室内ユニットを全同期スイング状態で空気調和機の冷房運転を開始した場合、試験室内に設置した室内ユニットを対面スイング状態で空気調和機の冷房運転を開始した場合、あるいは、試験室内に設置した室内ユニットを対面スイング状態と水平吹き固定状態とを併用して空気調和機の冷房運転を開始した場合のそれぞれの消費電力を示す図。
【図１１】変形例Ａに係る各水平フラップの動作を説明するためのタイミングチャート。
【図１２】初期冷房制御における初期期間を示す図であって、（ａ）本実施形態における初期期間及び初期期間後の期間における水平フラップの状態及び室内ファンの風量を示す図、（ｂ）変形例Ｃに係る初期期間及び初期期間後の期間における水平フラップの状態及び室内ファンの風量を示す図。
【図１３】変形例Ｃに係る初期冷房動作制御部の制御動作の流れを示すフローチャート。
【図１４】変形例Ｄに係る空気調和機の備える制御部の制御ブロック図。
【図１５】変形例Ｄに係る初期冷房動作制御部の制御動作の流れを示すフローチャート。
【図１６】変形例Ｄに係る学習部による学習運転時間決定の流れを示すフローチャート。
【図１７】変形例Ｅにおいて、試験室内に設置した室内ユニットの有する水平フラップを対面スイング状態として空気調和機に冷房運転を行わせた場合の温度変化の推移を示す図。
【図１８】変形例Ｅに係る空気調和機の備える制御部の制御ブロック図。
【図１９】変形例Ｅに係る初期冷房動作制御部の制御動作の流れを示すフローチャート。
【発明を実施するための形態】
【００２０】
以下に、本発明の一実施形態に係る空気調和機１０について説明する。空気調和機１０は、室外に設定される室外ユニット２０と、室内（空調室内に相当）の天井近傍に設置される室内ユニット３０と、を備えており、冷房運転や暖房運転等の各種運転を実行することができる。
【００２１】
（１）室外ユニット
室外ユニット２０は、圧縮機２１と、圧縮機２１の吐出側に接続されている四路切換弁２２と、四路切換弁２２に接続されている室外熱交換器２３と、室外熱交換器２３に接続されている膨張弁２４と、を有している（図１参照）。
【００２２】
圧縮機２１は、低圧のガス冷媒を吸入し圧縮して高圧のガス冷媒とした後に、高圧のガス冷媒を吐出する機構である。四路切換弁２２は、冷房運転と暖房運転との切り換え時に、冷媒の流れる方向を切り換えるための弁である。四路切換弁２２は、冷房運転時には、圧縮機２１の吐出側と室外熱交換器２３のガス側とを接続するとともに後述する室内熱交換器３３と圧縮機２１の吸入側とを接続する。また、四路切換弁２２は、暖房運転時には、圧縮機２１の吐出側と室内熱交換器３３とを接続するとともに室外熱交換器２３のガス側と圧縮機２１の吸入側とを接続する。室外熱交換器２３は、冷房運転時には冷媒の放熱器として機能し、暖房運転時には冷媒の蒸発器として機能する熱交換器である。膨張弁２４は、冷房運転時には、室外熱交換器２３において放熱した高圧の液冷媒を室内熱交換器３３に送る前に減圧する。また、膨張弁２４は、暖房運転時には、室内熱交換器３３において放熱した高圧の液冷媒を室外熱交換器２３に送る前に減圧する。さらに、室外ユニット２０内には、室外ファン２５が設けられている。室外ファン２５は、室外の空気を取り込み、室外熱交換器２３の熱交換後の空気を室外ユニット２０外に排出するためのプロペラファンである。
【００２３】
（２）室内ユニット
室内ユニット３０は、天井埋込型と呼ばれる型式の天井設置型の室内ユニットである。室内ユニット３０は、内部に各種構成機器を収納するケーシング３１と、室内ファン３２と、室内熱交換器３３と、複数（本実施形態では、４つ）の水平フラップ３４ａ，３４ｂ，３４ｃ，３４ｄと、吸込温度センサＴ１と、リモートコントローラ８０と、を有している（図１から図６参照）。
【００２４】
ケーシング３１は、ケーシング本体３５と、ケーシング本体３５の下側に配置される化粧パネル３６と、から構成される。ケーシング本体３５は、天井Ｕに形成された開口Ｏに挿入されて配置されている。また、化粧パネル３６は、天井Ｕの開口Ｏに嵌め込まれるように配置されている（図５参照）。
【００２５】
ケーシング本体３５は、平面視において長辺と短辺とが交互になるように形成された略８角形状の箱状の部材であって、その下面が開口している。また、ケーシング本体３５の内部には、室内ファン３２や室内熱交換器３３等が収納されている。
【００２６】
化粧パネル３６は、平面視が略４角形状の板状の部材である。化粧パネル３６には、吹き出し口３７と、吸い込み口３６ａとが形成されている。吹き出し口３７は、室内に空気を吹き出すための開口であって、平面視において化粧パネル３６の周縁部に沿うように位置している。吸い込み口３６ａは、室内の空気を吸い込むための開口であって、平面視において、化粧パネル３６の略中央、すなわち、吹き出し口３７に囲まれるように位置している。具体的には、吸い込み口３６ａは略４角形状の開口であり、吹き出し口３７は、略４角環状の開口である。
【００２７】
室内ファン３２は、駆動することで空気流れを生成することが可能な遠心送風機である。具体的には、室内ファン３２は、吸い込み口３６ａを介して室内の空気をケーシング本体３５内に吸い込むと共に、吹き出し口３７を介して室内熱交換器３３にて熱交換された後の空気をケーシング本体３５内から吹き出す。また、室内ファン３２は、インバータ装置（図示せず）によって回転数を変更可能なファンモータ３２ａを有している。ファンモータ３２ａの回転数が制御されることで、室内ファン３２の風量制御が可能になっている。
【００２８】
室内熱交換器３３は、冷房運転時には、冷媒の蒸発器として機能し、暖房運転時には、冷媒の放熱器として機能する熱交換器である。室内熱交換器３３は、ケーシング本体３５内に吸い込まれる室内の空気と冷媒との熱交換を行って、冷房運転時には、室内の空気を冷却し、暖房運転時には、室内の空気を加熱することができる。
【００２９】
４つの水平フラップ３４ａ，３４ｂ，３４ｃ，３４ｄは、化粧パネル３６の４角形の各辺に対応するように位置すると共に、吹き出し口３７に回動可能に設けられている。水平フラップ３４ａ，３４ｂ，３４ｃ，３４ｄは、吹き出し口３７から室内に吹き出される空調空気の上下方向の風向角度を変更することが可能である。具体的には、水平フラップ３４ａ，３４ｂ，３４ｃ，３４ｄは、吹き出し口３７の４角形の各辺に沿って細長く延びる板状の部材である。また、各水平フラップ３４ａ，３４ｂ，３４ｃ，３４ｄの長手方向の両端部は、吹き出し口３７の一部を塞ぐように配置された１対の支持部３９ａ，３９ｂによって、長手方向の軸周りに回動可能になるように化粧パネル３６に支持されている。さらに、各水平フラップ３４ａ，３４ｂ，３４ｃ，３４ｄは、駆動モータ３８ａ，３８ｂ，３８ｃ，３８ｄによって駆動されるようになっている。これにより、水平フラップ３４ａ，３４ｂ，３４ｃ，３４ｄは、それぞれ独立して上下方向の風向角度を変更することが可能であり、吹き出し口３７に対して上下方向に往復回動することができるようになっている。
【００３０】
なお、吹き出し口３７は、支持部３９ａ，３９ｂによって、化粧パネル３６の４角形の各辺に対応する吹き出し口３７ａ（第１吹き出し口に相当）、吹き出し口３７ｂ（第２吹き出し口に相当）、吹き出し口３７ｃ（第３吹き出し口に相当）及び吹き出し口３７ｄ（第４吹き出し口に相当）と、化粧パネル３６の４角形の各角部に対応する吹き出し口３７ｅ、吹き出し口３７ｆ、吹き出し口３７ｇ、吹き出し口３７ｇと、に区分される。なお、本実施形態では、図２及び図３に示すように、吹き出し口３７ａを覆うように水平フラップ３４ａが配置されており、吹き出し口３７ｂを覆うように水平フラップ３４ｂが配置されており、吹き出し口３７ｃを覆うように水平フラップ３４ｃが配置されており、吹き出し口３７ｄを覆うように水平フラップ３４ｄが配置されている。
【００３１】
吸込温度センサＴ１は、吸い込み口３６ａを通じてケーシング本体３５内に吸い込まれる室内空気の温度である吸い込み空気温度（以下、吸込温度Ｔｒという）を検出する温度センサである。吸込温度センサＴ１は、図５に示すように、吸い込み口３６ａに設けられている。また、吸込温度センサＴ１は、検出した吸込温度Ｔｒを、後述する制御部６０に送信する。
【００３２】
リモートコントローラ８０は、ユーザが空気調和機１０を遠隔操作するための装置である。リモートコントローラ８０は、ユーザによって為された空気調和機１０に対する各種指示を後述する制御部６０に送信する。また、リモートコントローラ８０には、運転開始／停止スイッチ８４、風向調整スイッチ８１、風量調整スイッチ８２、および、手動／自動選択スイッチ８３等の操作スイッチが設けられている（図６参照）。
【００３３】
運転開始／停止スイッチ８４は、ユーザが空気調和機１０の運転の開始指示あるいは停止指示を為す場合に操作するスイッチである。ユーザは、運転開始／停止スイッチ８４を操作することで、空気調和機１０の冷房運転や暖房運転等の各種運転を開始あるいは停止させることができる。
【００３４】
風向調整スイッチ８１は、ユーザが風向設定指示を為す場合に操作するスイッチである。ユーザは、風向調整スイッチ８１を操作することで、吹き出し口３７ａ，３７ｂ，３７ｃ，３７ｄから吹き出される空気の風向を、所望の風向に調整することができる。具体的には、ユーザが風向調整スイッチ８１を押すことで、風向が図４に示す風向Ｐ０や風向Ｐ１に固定されたり風向が自動的に変更されたりするように、水平フラップ３４ａ，３４ｂ，３４ｃ，３４ｄが駆動される。
【００３５】
風量調整スイッチ８２は、ユーザが風量設定指示を為す場合に操作するスイッチである。ユーザは、風量調整スイッチ８２を操作することで、吹き出し口３７から吹き出される空気の風量を、所望の風量に調整することができる。具体的には、ユーザが風量調整スイッチ８２を押すことで、室内ファン３２によって生成される風量が、後述する第１風量Ｈ、第２風量Ｍおよび第３風量Ｌに切り換わる。
【００３６】
手動／自動選択スイッチ８３は、ユーザが冷房運転時におけるモード設定指示を為す場合に操作されるスイッチである。ユーザは、手動／自動選択スイッチ８３を操作することで、手動制御モードまたは自動制御モードのいずれかにモード設定をすることができる。手動制御モードに設定されている場合には、冷房運転の運転開始時から、ユーザによって設定された設定温度Ｔｒｓ、設定風量、および、設定風向となるように、空気調和機１０の各種機器が制御される。また、自動制御モードに設定されている場合には、冷房運転の運転開始から所定時間が経過するまでの期間である初期期間において、後述する初期冷房制御の制御内容に従って、空気調和機１０の各種機器が制御される。
【００３７】
（３）制御部
制御部６０は、ＣＰＵ及びメモリからなるマイクロコンピュータであって、室内ユニット３０および室外ユニット２０の有する各種機器の動作を制御する。具体的には、図６に示すように、制御部６０は、吸込温度センサＴ１、ファンモータ３２ａ、駆動モータ３８ａ，３８ｂ，３８ｃ，３８ｄ、圧縮機２１、四路切換弁２２および膨張弁２４等の各種機器と電気的に接続されている。そして、制御部６０は、吸込温度センサＴ１の検知結果や、ユーザによってリモートコントローラ８０を介して為された各種指示に基づいて、圧縮機２１等の各種機器の駆動制御を行う。
【００３８】
また、制御部６０は、空気調和機１０に冷房運転を行わせる場合、室外熱交換器２３が冷媒の放熱器として機能し室内熱交換器３３が冷媒の蒸発器として機能するように四路切換弁２２の状態を切り換え、かつ、圧縮機２１を駆動させる。また、冷房運転においては、制御部６０は、吸込温度Ｔｒが設定温度Ｔｒｓになるように、各種機器を制御する。すなわち、冷房運転において、吸込温度Ｔｒが設定温度Ｔｒｓよりも高い場合には、圧縮機２１が駆動することで冷媒回路内に冷媒が循環する上記の運転制御が行われる（以下、この運転制御が行われている状態を、冷房サーモオン状態という）。そして、吸込温度Ｔｒが設定温度Ｔｒｓに達した場合には、冷媒回路内の冷媒の循環が行われないように圧縮機２１が停止され、かつ、吹き出し口３７から空気が吹き出されないように室内ファン３２の回転が停止される制御が行われる（以下、この制御が行われている状態を、冷房サーモオフ状態という）。
【００３９】
さらに、制御部６０は、受信部６１と、風量制御部６２と、風向制御部６３と、を備えている。受信部６１は、リモートコントローラ８０から送信される各種指示を受信する。具体的には、受信部６１は、リモートコントローラ８０を介してユーザから為された冷房運転や暖房運転の開始指示を受信したり、風量設定指示および風向設定指示等を受信したりすることができる。また、受信部６１は、ユーザから為された各種指示に基づく信号を、後述する初期冷房動作制御部６５に送信する。
【００４０】
風量制御部６２は、空気調和機１０が暖房運転あるいは冷房運転を行っている場合に、リモートコントローラ８０から送信される風量設定指示や吸込温度センサＴ１の検知結果に基づいて、ファンモータ３２ａの回転数を制御する。風量制御部６２は、ファンモータ３２ａの回転数を制御することで、室内ファン３２の風量を変更することができる。また、室内ファン３２の風量は、ファンモータ３２ａの回転数が変更されることで、最も回転数が大きい第１風量Ｈ、第１風量Ｈの回転数よりも小さく中程度の第２風量Ｍ、第２風量Ｍの回転数よりもさらに小さい第３風量Ｌの間で変更される。
【００４１】
風向制御部６３は、空気調和機１０が暖房運転あるいは冷房運転を行っている場合に、リモートコントローラ８０から送信される風向設定指示や吸込温度センサＴ１の検知結果に基づいて、各駆動モータ３８ａ，３８ｂ，３８ｃ，３８ｄを制御する。風向制御部６３は、駆動モータ３８ａ，３８ｂ，３８ｃ，３８ｄを制御することで、各水平フラップ３４ａ，３４ｂ，３４ｃ，３４ｄの姿勢や動作を変更することができる。そして、各水平フラップ３４ａ，３４ｂ，３４ｃ，３４ｄの姿勢が変更されることで、吹き出し口３７ａ，３７ｂ，３７ｃ，３７ｄから吹き出される空気の風向が変更される。また、風向には、図４に示すように、空気が略水平方向に吹き出す風向である風向Ｐ０と、風向Ｐ０よりも下向きの風向Ｐ１とが含まれる。さらに、水平フラップ３４ａ，３４ｂ，３４ｃ，３４ｄの動作には、固定動作と、スイング動作とが含まれる。固定動作とは、駆動モータ３８ａ，３８ｂ，３８ｃ，３８ｄが制御されることで、水平フラップ３４ａ，３４ｂ，３４ｃ，３４ｄの姿勢が維持される動作のことである。また、スイング動作とは、駆動モータ３８ａ，３８ｂ，３８ｃ，３８ｄが駆動されることで、水平フラップ３４ａ，３４ｂ，３４ｃ，３４ｄの姿勢が変更可能範囲内（ここでは、風向Ｐ０と風向Ｐ１との間）で繰り返し上下に変更される動作のことである。なお、風向制御部６３は、風向や動作の制御を各駆動モータ３８ａ，３８ｂ，３８ｃ，３８ｄに対して個別に行うことができる。
【００４２】
また、空気調和機１０が暖房運転や冷房運転等の各種運転を行っていない場合には、各水平フラップ３４ａ，３４ｂ，３４ｃ，３４ｄが吹き出し口３７ａ，３７ｂ，３７ｃ，３７ｄを閉じた姿勢を採るように各駆動モータ３８ａ，３８ｂ，３８ｃ，３８ｄが制御される。以下では、説明の便宜上、水平フラップ３４ａ，３４ｂ，３４ｃ，３４ｄが吹き出し口３７ａ，３７ｂ，３７ｃ，３７ｄを閉じた姿勢を採る場合の風向角度を、風向Ｐ０ｃとして表すこととする（図７参照）。また、空気調和機１０が暖房運転や冷房運転等の各種運転を行っている場合には、各水平フラップ３４ａ，３４ｂ，３４ｃ，３４ｄが吹き出し口３７ａ，３７ｂ，３７ｃ，３７ｄを開放した姿勢を採るように各駆動モータ３８ａ，３８ｂ，３８ｃ，３８ｄが制御される。なお、以下より、説明の便宜上、風向が風向Ｐ０となるように水平フラップ３４ａ，３４ｂ，３４ｃ，３４ｄが採る姿勢を水平吹き姿勢という。また、本実施形態では、ユーザによって自動制御モードに設定されている場合、後述する初期冷房制御が実行されている時以外の時には、水平フラップ３４ａ，３４ｂ，３４ｃ，３４ｄがデフォルトとして設定されている水平吹き姿勢を採るように、各駆動モータ３８ａ，３８ｂ，３８ｃ，３８ｄが制御される。
【００４３】
さらに、制御部６０は、冷房運転の運転開始時に初期冷房制御を実行する初期冷房動作制御部６５を備えている。初期冷房動作制御部６５は、自動制御モードに設定されている場合に、初期冷房制御を実行する。
【００４４】
初期冷房動作制御部６５は、初期冷房制御において、まず、冷房運転が開始された時から予め実験的に得られた所定時間（以下、最適時間という）が経過する時までの間の初期期間において、４つの水平フラップ３４ａ，３４ｂ，３４ｃ，３４ｄのうち互いに対向するように配置される２つの水平フラップが同じ姿勢を採りつつスイング動作を行う（以下、対面スイング動作という）ように風向制御部６３に制御信号を送信するとともに、室内ファン３２の風量が第１風量Ｈとなるように風量制御部６２に制御信号を送信する。そして、初期冷房動作制御部６５は、冷房運転が開始されてから最適時間が経過した時すなわち初期期間が終了した時に、水平フラップ３４ａ，３４ｂ，３４ｃ，３４ｄの対面スイング動作を停止させ、かつ水平フラップ３４ａ，３４ｂ，３４ｃ，３４ｄが水平吹き姿勢を採りつつ固定動作を開始するように風向制御部６３に制御信号を送信するとともに、室内ファン３２の風量が第１風量Ｈからユーザによって設定されていた設定風量となるように風量制御部６２に制御信号を送信することで、初期冷房制御を終了する。
【００４５】
また、風向制御部６３は、初期冷房動作制御部６５から対面スイング動作に関する制御信号が送信されると、４つの水平フラップ３４ａ，３４ｂ，３４ｃ，３４ｄのうち、２つの水平フラップ（例えば、水平フラップ３４ａ，３４ｃ；第１フラップに相当）と、他の水平フラップ（例えば、水平フラップ３４ｂ，３４ｄ；第２フラップに相当）とが互いに逆方向にスイング動作を行うように、各駆動モータ３８ａ，３８ｂ，３８ｃ，３８ｄを制御する。また、このとき、風向制御部６３は、２つの水平フラップ（例えば、水平フラップ３４ａ，３４ｃ）の回動方向が変化するタイミングで、他の水平フラップ（例えば、３４ｂ，３４ｄ）の回動方向を変化させる制御を行う。なお、風向制御部６３は、２つの水平フラップ（例えば、水平フラップ３４ａ，３４ｃ）と他の水平フラップ（例えば、３４ｂ，３４ｄ）とのいずれか一方のスイング動作を先に開始させることで、２つの水平フラップ（例えば、水平フラップ３４ａ，３４ｃ）と他の水平フラップ（例えば、３４ｂ，３４ｄ）とに、異なるスイング動作を行わせている。また、本実施形態における異なるスイング動作とは、同一のスイングパターンのスイング動作を異なるタイミングで行う動作のことを意味しているが、これに限定されず、異なるスイング動作が、例えば、異なるスイングパターンのスイング動作であってもよい。
【００４６】
以下に、図７を用いて、初期冷房制御により水平フラップ３４ａ，３４ｂ，３４ｃ，３４ｄが採る姿勢について説明する。なお、図７では、水平フラップ３４ａ及び水平フラップ３４ｃが、水平フラップ３４ｂ及び水平フラップ３４ｄよりも先に回動を開始しているが、これに限定されず、水平フラップ３４ｂ及び水平フラップ３４ｄが水平フラップ３４ａ及び水平フラップ３４ｃよりも先に回動を開始してもよい。
【００４７】
風向制御部６３は、まず、各駆動モータ３８ａ，３８ｃの駆動を制御することで、水平フラップ３４ａ，３４ｃが共に吹き出し口３７ａ，３７ｃを閉じた状態（風向Ｐ０ｃ）から風向Ｐ０を経て風向Ｐ１へと回動する方向、つまりは、下方向に、同じ回動速度で回動する。従って、水平フラップ３４ａ及び水平フラップ３４ｃの風向角度は、同じタイミングで風向Ｐ０から風向Ｐ１に到達する。水平フラップ３４ａ，３４ｃが風向Ｐ１に達した後、水平フラップ３４ａ，３４ｃの回動方向は、下方向から上方向へと変化するが、このタイミングで、他の水平フラップ３４ｂ，３４ｄが、共に吹き出し口３７ｂ，３７ｄを閉じた状態（風向Ｐ０ｃ）から風向Ｐ１へと回動（つまり、下方向へと回動）を開始する。そして、水平フラップ３４ａ，３４ｃは、上方向へと同じ回動速度で回動する一方、水平フラップ３４ｂ，３４ｄは、下方向へと同じ回動速度で回動する。この時、水平フラップ３４ｂ，３４ｄの回動速度は、水平フラップ３４ａ，３４ｃの回動速度と等しい。
【００４８】
このような動作が繰り返されることにより、水平フラップ３４ａ，３４ｃが共に下方向へと回動している場合には、水平フラップ３４ｂ，３４ｄは共に上方向へと回動し、水平フラップ３４ａ，３４ｃの風向角度が同時に風向Ｐ１となったタイミングで、水平フラップ３４ｂ，３４ｄの風向角度は、同時に風向Ｐ０となる。逆に、水平フラップ３４ａ，３４ｃが共に上方向へと回動している場合には、水平フラップ３４ｂ，３４ｄは共に下方向へと回動し、水平フラップ３４ａ，３４ｃの風向角度が同時に風向Ｐ０となったタイミングで、水平フラップ３４ｂ，３４ｄの風向角度は、同時に風向Ｐ１となる。
【００４９】
なお、以下より、説明の便宜上、初期冷房制御において、水平フラップ３４ａ，３４ｃあるいは水平フラップ３４ｂ，３４ｄが同期駆動しながら上述のスイング動作（対面スイング動作）を行っている状態を対面スイング状態といい、水平フラップ３４ａ，３４ｂ，３４ｃ，３４ｄが水平吹き姿勢を採りかつ固定動作を行っている状態を水平吹き固定状態という。また、本実施形態では、最適時間を１６分４０秒としている。
【００５０】
（４）初期冷房動作制御部による制御動作
次に、初期冷房動作制御部６５による制御動作について図８を用いて説明する。なお、上述のように、初期冷房動作制御部６５は、冷房運転開始時であって、かつ、ユーザによって自動制御モードに設定されている場合にのみ、初期冷房制御を実行する。すなわち、暖房運転開始時、あるいは、冷房運転開始時であってもユーザによって手動制御モードに設定されている場合には、初期冷房動作制御部６５による初期冷房制御は実行されない。
【００５１】
初期冷房動作制御部６５は、受信部６１から送信される冷房運転開始指示信号を受信した場合（ステップＳ１）に、初期冷房制御の実行を開始する。具体的には、室内に居るユーザによって為され冷房運転開始指示を受信した受信部６１から送信される冷房運転開始指示信号を初期冷房動作制御部６５が受信することで、初期冷房動作制御部６５は初期冷房制御の実行を開始する。
【００５２】
初期冷房動作制御部６５は、初期冷房制御において、まず、対面スイング動作に関する風向変更信号を風向制御部６３に送信するとともに、風量変更信号を風量制御部６２に送信する（ステップＳ２）。初期冷房動作制御部６５から対面スイング動作に関する風向変更信号が送信された風向制御部６３は、水平フラップ３４ａ，３４ｂ，３４ｃ，３４ｄの状態が対面スイング状態となるように駆動モータ３８ａ，３８ｂ，３８ｃ，３８ｄを制御する。また、初期冷房動作制御部６５から風量変更信号が送信された風量制御部６２は、室内ファン３２の風量が、ユーザによって設定されている設定風量ではなく第１風量Ｈとなるように、ファンモータ３２ａの回転数を制御する。
【００５３】
そして、ステップＳ２において対面スイング動作に関する風向変更信号および風量変更信号を送信してから最適時間が経過すると（ステップＳ３）、初期冷房動作制御部６５は、風向変更解除信号を風向制御部６３に送信するとともに、風量制御部６２に風量変更解除信号を送信する（ステップＳ４）。初期冷房動作制御部６５から風向変更解除信号が送信された風向制御部６３は、すべての水平フラップ３４ａ，３４ｂ，３４ｃ，３４ｄの状態が水平吹き固定状態となるように、駆動モータ３８ａ，３８ｂ，３８ｃ，３８ｄを制御する。また、初期冷房動作制御部６５から風向変更解除信号が送信された風量制御部６２は、ファンモータ３２ａを制御することで、室内ファン３２の風量を、第１風量Ｈからユーザによって設定されている設定風量に変更する。これにより、初期冷房動作制御部６５による初期冷房制御が終了する。なお、初期冷房動作制御部６５は、対面スイング動作に関する風向変更信号および風量変更信号を送信してから最適時間が経過するまでは、風向変更解除信号及び風量変更解除信号を送信しない（ステップＳ３）。
【００５４】
ここで、初期冷房制御において、互いに対向するように配置される水平フラップが同期してスイング動作を行うように制御を行う理由、すなわち、対面スイング動作を採用した理由について、評価試験の結果を示す図９および図１０を用いて説明する。なお、以下では、説明の便宜上、すべての水平フラップ３４ａ，３４ｂ，３４ｃ，３４ｄが同期してスイング動作を行っている状態、すなわち、すべての水平フラップ３４ａ，３４ｂ，３４ｃ，３４ｄのスイング動作が同時に開始されることですべての水平フラップ３４ａ，３４ｂ，３４ｃ，３４ｄが同じ姿勢を採りつつスイング動作を行っている状態を全同期スイング状態という。
【００５５】
図９は、試験室内に設置した室内ユニット３０の水平フラップ３４ａ，３４ｂ，３４ｃ，３４ｄを水平吹き固定状態として空気調和機１０に冷房運転を行わせた場合、試験室内に設置した室内ユニット３０の有する水平フラップ３４ａ，３４ｂ，３４ｃ，３４ｄを全同期スイング状態として空気調和機１０に冷房運転を行わせた場合、あるいは、試験室内に設置した室内ユニット３０の有する水平フラップ３４ａ，３４ｂ，３４ｃ，３４ｄを対面スイング状態として空気調和機１０に冷房運転を行わせた場合に、冷房運転を開始してから、平均室温（試験室内空間に格子状に配置した複数の温度検知センサの平均値、すなわち、試験室内のあらゆる箇所で計測した温度の平均値）が設定温度Ｔｒｓに達するまで（以下、温度分布均一化期という）の時間と、空気調和機１０全体で消費される消費電力と、を示している。
【００５６】
図１０は、試験室内に設置した室内ユニット３０の水平フラップ３４ａ，３４ｂ，３４ｃ，３４ｄを水平吹き固定状態として空気調和機１０に冷房運転を行わせた場合、試験室内に設置した室内ユニット３０の有する水平フラップ３４ａ，３４ｂ，３４ｃ，３４ｄを全同期スイング状態として空気調和機１０に冷房運転を行わせた場合、試験室内に設置した室内ユニット３０の有する水平フラップ３４ａ，３４ｂ，３４ｃ，３４ｄを対面スイング状態として空気調和機１０に冷房運転を行わせた場合、あるいは、試験室内に設置した室内ユニット３０の有する水平フラップ３４ａ，３４ｂ，３４ｃ，３４ｄを、運転開始から１６分４０秒が経過するまでは対面スイング状態とし１６分４０秒が経過した後は水平吹き固定状態として空気調和機１０に冷房運転を行わせた場合に、冷房運転の運転開始時から１時間が経過するまでの間に空気調和機１０全体で消費される消費電力を示している。
【００５７】
なお、図９および図１０は、試験室内の環境をＪＩＳの冷房標準条件（外気温度ＤＢ：３５℃、ＷＢ：３０℃）で、十分な時間なじませた後に評価試験を行った結果である。また、図９及び図１０は、設定温度Ｔｒｓを２７℃に設定し、設定風量を第１風量Ｈに設定した結果である。
【００５８】
室内の温度分布の測定結果から、冷房運転を開始してから平均室温が設定温度Ｔｒｓに達するまでに要する時間、すなわち、温度分布均一化期の長さは、全同期スイング状態よりも水平吹き固定状態の方が短く、水平吹き固定状態よりも対面スイング状態の方が短かった（図９参照）。これにより、冷房運転の開始時には、全同期スイング状態よりも水平吹き固定状態の方が短時間で均一な温度分布を生成することができ、水平吹き固定状態よりも対面スイング状態の方が短時間で均一な温度分布を生成することができることが判明した。すなわち、対面スイング状態、水平吹き固定状態、全同期スイング状態の順に、冷房運転開始時の室内の温度分布均一化効果が高いことが判明した。
【００５９】
また、図９に示すように、冷房運転を開始してから平均室温が設定温度Ｔｒｓに達するまでに消費される消費電力、すなわち、温度分布均一化期に消費される消費電力は、水平吹き固定状態の方が全同期スイング状態よりも約５割小さく、水平吹き固定状態よりも対面スイング状態の方が３割強小さかった。
【００６０】
さらに、図１０に示すように、冷房運転を開始してから１時間が経過するまでに消費される消費電力は、全同期スイング状態の方が水平吹き固定状態よりも２割弱大きく、対面スイング状態の方が水平吹き固定状態よりも３割強大きかった。
【００６１】
これらの結果から、冷房運転を開始してから平均室温が設定温度Ｔｒｓに達するまで、すなわち、温度分布均一化期には水平フラップ３４ａ，３４ｂ，３４ｃ，３４ｄに対面スイング動作を行わせ、平均室温が設定温度Ｔｒｓに達した後、すなわち、温度分布均一化期の後の期間（以下、安定期という）には水平フラップ３４ａ，３４ｂ，３４ｃ，３４ｄに水平吹き姿勢を採らせてかつ固定動作行わせる場合には、温度分布均一化期および安定期に連続してすべての水平フラップ３４ａ，３４ｂ，３４ｃ，３４ｄに水平吹き姿勢を採らせて固定動作を行わせる場合と比較して、冷房運転が開始されてから室内の温度分布を均一にするために必要とされる時間が短くなり、かつ、消費電力が小さくなることが判明した。また、温度分布均一化期には水平フラップ３４ａ，３４ｂ，３４ｃ，３４ｄに対面スイング動作を行わせて、安定期には水平フラップ３４ａ，３４ｂ，３４ｃ，３４ｄに水平吹き姿勢を採らせてかつ固定動作を行わせる場合には、温度分布均一化期および安定期に連続して水平フラップ３４ａ，３４ｂ，３４ｃ，３４ｄに対面スイング動作を行わせる場合と比較して、冷房運転が開始されてから室内の温度分布を均一にするために必要とされる消費される電力が小さくなることが判明した（図１０参照）。
【００６２】
そこで、本発明者は、冷房運転の運転開始と同時に水平フラップ３４ａ，３４ｂ，３４ｃ，３４ｄに対面スイング動作を開始させ、水平フラップ３４ａ，３４ｂ，３４ｃ，３４ｄに対面スイング動作を開始させてから所定時間（最適時間）が経過したら対面スイング動作を停止させて、水平フラップ３４ａ，３４ｂ，３４ｃ，３４ｄに水平吹き姿勢を採らせかつ固定動作を行わせることが、冷房運転が開始された後に、室内の温度分布を短時間で均一にし、かつ、消費電力の小さい制御であるという知見を得た。そして、本実施形態の空気調和機１０においては、このような知見を利用して、初期冷房制御では、水平フラップ３４ａ，３４ｂ，３４ｃ，３４ｄの状態が対面スイング状態、水平吹き固定状態の順に切り換わるように水平フラップ３４ａ，３４ｂ，３４ｃ，３４ｄを制御する制御手法を採用することとした。
【００６３】
また、本評価試験では、水平フラップ３４ａ，３４ｂ，３４ｃ，３４ｄの状態を対面スイング状態とした場合、冷房運転を開始させてから１６分４０秒が経過した時点で、室内の温度分布が均一となった。このため、冷房運転の運転が開始された後に、室内の温度分部を均一にし、かつ、消費電力を小さくすることができる対面スイング動作の実行継続時間（最適時間）は、冷房運転の運転開始から１６分４０秒前後とすることが望ましい。なお、最適時間を１６分４０秒前後とする場合、その前提条件として、空気調和機１０の能力が空気調和機１０の設置されている部屋の空調負荷にほぼ適合している（能力過多でも能力不足でもない状態）という条件、及び、４つの水平フラップ３４ａ，３４ｂ，３４ｃ，３４ｄのうち互いに対向するように配置される２つの水平フラップが同期して駆動されるという条件が満たされている必要がある。
【００６４】
初期冷房制御として上述のような制御が採用されることで、冷房運転の開始時に、水平フラップ３４ａ，３４ｂ，３４ｃ，３４ｄを水平吹き固定状態、あるいは、水平フラップ３４ａ，３４ｂ，３４ｃ，３４ｄを全同期スイング状態とするような空気調和機１０を比較して、短時間で、冷房運転開始時の室内の温度分布の均一化を図ることができる。
【００６５】
また、本実施形態においては、初期冷房制御における最適時間を１６分４０秒としているため、室内の温度分布を均一にすることができ、かつ、初期冷房制御において消費される電力量を抑えることができる。
【００６６】
（５）特徴
（５−１）
冷房運転時にユーザの快適性を向上させようとした場合、冷房運転が開始された後、できる限り短い時間で室内の温度分布を均一にすることが考えられる。そして、発明者は、４つの水平フラップ３４ａ，３４ｂ，３４ｃ，３４ｄを有する空気調和機１０の室内ユニット３０において、すべての水平フラップ３４ａ，３４ｂ，３４ｃ，３４ｄに同じタイミングでスイング動作を行わせるよりも、すべての水平フラップ３４ａ，３４ｂ，３４ｃ，３４ｄに水平吹き姿勢を採らせつつ固定動作を行わせる方が、冷房運転の運転開始後、短時間で、室内の温度分布を均一にすることができるという知見を得た。さらに、発明者は、すべての水平フラップ３４ａ，３４ｂ，３４ｃ，３４ｄに水平吹き姿勢を採らせつつ固定動作を行わせるよりも、水平フラップ３４ａ，３４ｂ，３４ｃ，３４ｄのうち、互いに対向するように配置される２つの水平フラップ（例えば、水平フラップ３４ａ，３４ｃ）と、互いに対向するように配置される２つの水平フラップ（例えば、水平フラップ３４ｂ，３４ｄ）とに、異なるスイング動作を行わせる方が、冷房運転の開始後、短時間で、室内の温度分布を均一にすることができるという知見を得た。
【００６７】
そこで、本実施形態では、初期冷房制御において、初期期間に、水平フラップ３４ａ，３４ｃと水平フラップ３４ｂ，３４ｄとが異なるタイミングでスイング動作を開始する対面スイング動作を、水平フラップ３４ａ，３４ｂ，３４ｃ，３４ｄに行わせている。このため、すべての水平フラップ３４ａ，３４ｂ，３４ｃ，３４ｄに水平吹き姿勢を採らせつつ固定動作を行わせる場合、あるいは、すべての水平フラップ３４ａ，３４ｂ，３４ｃ，３４ｄに同じスイング動作を行わせる場合と比較して、冷房運転が開始された後に室内の温度分布を均一にするために必要な時間を短縮することができる。
【００６８】
これによって、ユーザの快適性を向上させることができている。
【００６９】
（５−２）
本実施形態では、初期冷房動作制御部６５は、初期冷房制御において、室内ファン３２の風量が第１風量Ｈとなるように風量制御部６２に風向変更信号を送信している。これにより、初期冷房制御が行われている間、室内ファン３２の風量が室内ファン３２の最大風量である第１風量Ｈとなるように、ファンモータ３２ａの回転数が制御される。したがって、例えば、室内ファン３２の風量が第１風量Ｈより小さい第３風量Ｌとなるようにファンモータ３２ａの回転数が制御される場合と比較して、短時間で室内の温度分布を均一にすることができている。
【００７０】
（５−３）
本実施形態では、初期冷房制御の初期期間の長さ、すなわち、初期冷房制御において対面スイング動作が実行される時間として、予め実験的に得られた最適時間が採用されている。このため、空気調和機１０に、初期期間の長さを予め設定しておくことができる。
【００７１】
（５−４）
本実施形態では、初期冷房制御において、風量を第１風量Ｈにして、水平フラップ３４ａ，３４ｂ，３４ｃ，３４ｄに対面スイング動作を行わせた後に、水平フラップ３４ａ，３４ｂ，３４ｃ，３４ｄの対面スイング動作を停止させ、風量を設定風量にして、水平フラップ３４ａ，３４ｂ，３４ｃ，３４ｄに、水平吹き姿勢を採らせて固定動作を行わせている。このため、例えば、冷房運転が開始された時に、風量を設定風量（例えば、第３風量Ｌ）として、水平フラップ３４ａ，３４ｂ，３４ｃ，３４ｄが水平吹き姿勢を採りかつ固定動作を行うように制御される空気調和機と比較して、室内の温度分布を均一にするために必要な時間を短縮することができ、かつ、省エネルギーを実現することができる。
【００７２】
（６）変形例
（６−１）変形例Ａ
上記実施形態では、初期冷房制御において、４つの水平フラップ３４ａ，３４ｂ，３４ｃ，３４ｄのうち対面に位置する２つの水平フラップが同じ姿勢を採りつつスイングするように同期駆動されている。
【００７３】
これに代えて、初期冷房制御において、４つの水平フラップ３４ａ，３４ｂ，３４ｃ，３４ｄのうち、隣接する位置に配置されている２つの水平フラップが同じ姿勢を採りつつスイングするように同期駆動されてもよい。
【００７４】
例えば、初期冷房動作制御部６５から制御信号が送信されると、風向制御部６３は、４つの水平フラップ３４ａ，３４ｂ，３４ｃ，３４ｄのうち、２つの水平フラップ３４ａ，３４ｂと、他の水平フラップ３４ｃ，３４ｄとが互いに逆方向にスイングするように、各駆動モータ３８ａ，３８ｂ，３８ｃ，３８ｄを制御する。また、このとき、風向制御部６３は、２つの水平フラップ３４ａ，３４ｂの回動方向が変化するタイミングで、他の水平フラップ３４ｃ，３４ｄの回動方向を変化させる制御を行う。
【００７５】
以下に、図１１を用いて、本変形例における初期冷房制御により水平フラップ３４ａ，３４ｂ，３４ｃ，３４ｄが採る姿勢について説明する。なお、図１１では、１例として、化粧パネル３６の吹き出し口３７ｆを挟んで隣り合う水平フラップ３４ａと水平フラップ３４ｂとが、同じタイミングで同じ姿勢を採りながらスイング動作を行っており、吹き出し口３７ｈを挟んで隣り合う水平フラップ３４ｃと水平フラップ３４ｄとが、同じタイミングで同じ姿勢を採りながらスイング動作を行っている場合を示している。しかしながら、同じタイミングで同じ姿勢を採りながらスイング動作を行う２つの水平フラップの組み合わせは、これに限定されず、吹き出し口３７ｇを挟んで隣り合う水平フラップ３４ｂと水平フラップ３４ｃとが同期駆動され、吹き出し口３７ｅを挟んで隣り合う水平フラップ３４ｄと水平フラップ３４ａとが同期駆動されてもよい。また、ここでは、水平フラップ３４ａ及び水平フラップ３４ｂが、水平フラップ３４ｃ及び水平フラップ３４ｄよりも先に回動を開始しているが、これに限定されず、水平フラップ３４ｃ及び水平フラップ３４ｄが水平フラップ３４ａ及び水平フラップ３４ｂよりも先に回動を開始してもよい。
【００７６】
風向制御部６３は、まず、各駆動モータ３８ａ，３８ｂの駆動を制御することで、水平フラップ３４ａ，３４ｂが共に吹き出し口３７ａ，３７ｂを閉じた状態（風向Ｐ０ｃ）から風向Ｐ０を経て風向Ｐ１へと回動する方向、つまりは、下方向に、同じ回動速度で回動する。従って、水平フラップ３４ａ及び水平フラップ３４ｂの風向角度は、同じタイミングで風向Ｐ０から風向Ｐ１に到達する。水平フラップ３４ａ，３４ｂが風向Ｐ１に達した後、水平フラップ３４ａ，３４ｂの回動方向は、下方向から上方向へと変化するが、このタイミングで、他の水平フラップ３４ｃ，３４ｄが、共に吹き出し口３７ｃ，３７ｄを閉じた状態（風向Ｐ０ｃ）から風向Ｐ１へと回動（つまり、下方向へと回動）を開始する。そして、水平フラップ３４ａ，３４ｂは、上方向へと同じ回動速度で回動する一方、水平フラップ３４ｃ，３４ｄは、下方向へと同じ回動速度で回動する。この時、水平フラップ３４ｃ，３４ｄの回動速度は、水平フラップ３４ａ，３４ｂの回動速度と等しい。
【００７７】
このような動作が繰り返されることにより、水平フラップ３４ａ，３４ｂが共に下方向へと回動している場合には、水平フラップ３４ｃ，３４ｄは共に上方向へと回動し、水平フラップ３４ａ，３４ｂの風向角度が同時に風向Ｐ１となったタイミングで、水平フラップ３４ｃ，３４ｄの風向角度は、同時に風向Ｐ０となる。逆に、水平フラップ３４ａ，３４ｂが共に上方向へと回動している場合には、水平フラップ３４ｃ，３４ｄは共に下方向へと回動し、水平フラップ３４ａ，３４ｂの風向角度が同時に風向Ｐ０となったタイミングで、水平フラップ３４ｃ，３４ｄの風向角度は、同時に風向Ｐ１となる。なお、以下では、説明の便宜上、水平フラップ３４ａ，３４ｂあるいは水平フラップ３４ｃ，３４ｄが同期駆動しながら上述のスイング動作を行っている状態を対角スイング状態とう。
【００７８】
発明者は、暖房運転において、すべての水平フラップを同期して駆動させてスイング動作を行わせる状態である全同期スイング状態の場合、および、上述のように互いに隣接する２つの水平フラップを同期して駆動させてスイング動作を行わせる状態である対角スイング状態の場合における室内の温度分布均一化効果についての評価試験を行った結果、以下のような知見を得た。
【００７９】
対角スイング動作あるいは対面スイング動作が行われる場合には、全同期スイング動作が行われる場合よりも短時間で均一な温度分布を生成することが判った。また、室内の温度分布を均一にするために暖房運転を開始してから最初に暖房サーモオフ状態（暖房運転時に吸込温度Ｔｒが設定温度Ｔｒｓに達することで、圧縮機２１が停止され、かつ、室内ファン３２の回転が停止される制御が行われる状態）となるまでに空気調和機１０全体で消費される消費電力を、全同期スイング動作が行われる場合と対角スイング動作が行われる場合とで比較すると、その消費電力は、全同期スイング動作が行われる場合よりも対角スイング動作が行われる場合の方が約３割小さかった。また、室内の温度分布を均一にするために暖房運転を開始してから最初に暖房サーモオフ状態となるまでに空気調和機１０全体で消費される消費電力を、全同期スイング動作が行われる場合と対面スイング動作が行われる場合とで比較すると、消費電力は、全同期スイング動作が行われる場合よりも対面スイング動作が行われる場合の方が約４割弱小さかった。このことから、室内の温度分布を均一にするためのスイング動作としては、対角あるいは対面に位置する水平フラップ３４ａ，３４ｂ，３４ｃ，３４ｄ同士を同期駆動させる方が、全ての水平フラップ３４ａ，３４ｂ，３４ｃ，３４ｄを同期駆動させるよりも、消費電力が少なく、かつ、温度分布均一化効果が高いという知見を得た。
【００８０】
したがって、初期冷房制御において、互いに隣接する位置に配置されている水平フラップが同じタイミングで同じ姿勢を採りつつスイング動作を行う対角スイング動作が行われる場合には、すべての水平フラップが同期してスイング動作を行う全同期スイング動作が行われる場合よりも、室内の温度分布を短時間で均一にすることができ、かつ、より高い省エネルギー効果を期待することができる。
【００８１】
（６−２）変形例Ｂ
上記実施形態では、空気調和機１０の備える室内ユニット３０は、天井埋込型の室内ユニットであるが、これに限定されず、室内ユニットが、ケーシングが天井から吊されて設置される天井吊下型の室内ユニットであってもよい。
【００８２】
（６−３）変形例Ｃ
上記実施形態では、初期冷房制御において、冷房運転が開始されてからできる限り短時間で室内の温度分布を均一にするために、水平フラップ３４ａ，３４ｂ，３４ｃ，３４ｄに対面スイング動作を行わせ、かつ、室内ファン３２の風量が第１風量Ｈとなるようにファンモータ３２ａが制御されている。そして、初期冷房制御の終了時には、水平フラップ３４ａ，３４ｂ，３４ｃ，３４ｄの対面スイング動作が停止され、すべての水平フラップ３４ａ，３４ｂ，３４ｃ，３４ｄが水平吹き姿勢を採りつつ固定動作を行うように制御されるとともに、室内ファン３２の風量が第１風量Ｈから設定風量となるようにファンモータ３２ａが制御されている。
【００８３】
これに代えて、初期冷房制御において、室内の温度分布を均一にした後に、更に、室内の温度を安定させるために効率のよい制御が行われてもよい。
【００８４】
ここで、発明者は、上記評価試験と同様の条件で、冷房運転を開始してから平均室温が設定温度Ｔｒｓに達した後、すなわち、安定期に、水平フラップ３４ａ，３４ｂ，３４ｃ，３４ｄの状態を水平吹き固定状態とし風量を第１風量Ｈとして冷房運転を行った場合に消費される消費電力と、水平フラップ３４ａ，３４ｂ，３４ｃ，３４ｄの状態を水平吹き固定状態とし風量を第２風量Ｍとして冷房運転を行った場合に消費される消費電力とを比較した結果、第１風量Ｈの消費電力の方が、第２風量Ｍの消費電力よりも小さいことを見いだした。これは、安定期においては、室内ファン３２の風量として、第１風量Ｈの方が第２風量Ｍよりも熱交換効率がよいためであると考えられた。発明者は、この点に着目することで、初期冷房制御において、水平フラップ３４ａ，３４ｂ，３４ｃ，３４ｄの状態を対面スイング状態から水平吹き固定状態に切り換えた時から所定の時間が経過するまでは風量を第１風量Ｈにすることで、水平フラップ３４ａ，３４ｂ，３４ｃ，３４ｄの状態を対面スイング状態から水平吹き固定状態に切り換えると同時に風量をユーザによって設定されている設定風量（例えば、第２風量Ｍ）にする場合と比較して、室内の温度を安定させることができ、かつ、消費電力を抑えることができるという知見を得た。
【００８５】
以下に、図１２及び図１３を用いて、冷房運転の開始時に、水平フラップ３４ａ，３４ｂ，３４ｃ，３４ｄの状態が対面スイング状態から水平吹き固定状態に切り換えられた後、所定の時間が経過するまでは第１風量Ｈが維持される初期冷房制御が実行される空気調和機１０について説明する。なお、図１２（ａ）は、上記実施形態の初期期間及び初期期間後の期間における水平フラップ３４ａ，３４ｂ，３４ｃ，３４ｄの状態及び室内ファン３２の風量を示す図であり、図１２（ｂ）は、本変形例の初期期間及び初期期間後の期間における水平フラップ３４ａ，３４ｂ，３４ｃ，３４ｄの状態及び室内ファン３２の風量を示す図である。また、図１２（ｂ）では、説明の便宜上、初期冷房制御が実行される初期期間を、水平フラップ３４ａ，３４ｂ，３４ｃ，３４ｄによって対面スイング動作が行われる第１期間と、固定動作が行われる第２期間とに分けている。また、第１期間とは、上記実施形態の初期期間に相当する期間であって、冷房運転が開始された時から予め実験的に得られた最適時間が経過する時までの間の期間のことである。また、第２期間とは、第１期間より後の期間であって、最適時間が経過した後に、冷房サーモオン状態と冷房サーモオフ状態とが切り換わった回数が所定回数（例えば、２回あるいは３回）以上となるまでの期間のことである。さらに、本変形例では、冷房サーモオン状態から冷房サーモオフ状態に切り換わったか否かの判定は、初期冷房動作制御部６５によって行われるものとする。
【００８６】
次に、本変形例における初期冷房動作制御部６５による制御動作について説明する。（図１３参照）。
【００８７】
初期冷房動作制御部６５は、受信部６１から送信される冷房運転開始指示信号を受信した場合（ステップＳ１１）に、初期冷房制御の実行を開始する。具体的には、室内に居るユーザによって為され冷房運転開始指示を受信した受信部６１から送信される冷房運転開始指示信号を初期冷房動作制御部６５が受信することで、初期冷房動作制御部６５は初期冷房制御の実行を開始する。
【００８８】
初期冷房動作制御部６５は、初期冷房制御において、まず、対面スイング動作に関する風向変更信号を風向制御部６３に送信するとともに、風量変更信号を風量制御部６２に送信する（ステップＳ１２）。初期冷房動作制御部６５から対面スイング動作に関する風向変更信号が送信された風向制御部６３は、水平フラップ３４ａ，３４ｂ，３４ｃ，３４ｄの状態が対面スイング状態となるように駆動モータ３８ａ，３８ｂ，３８ｃ，３８ｄを制御する。また、初期冷房動作制御部６５から風量変更信号が送信された風量制御部６２は、室内ファン３２の風量が、ユーザによって設定されている設定風量ではなく第１風量Ｈとなるように、ファンモータ３２ａの回転数を制御する。
【００８９】
そして、ステップＳ１２において対面スイング動作に関する風向変更信号および風量変更信号を送信してから最適時間が経過すると（ステップＳ１３）、初期冷房動作制御部６５は、水平吹き姿勢での固定動作に関する風向変更信号を風向制御部６３に送信する（ステップＳ１４）。初期冷房動作制御部６５から水平吹き姿勢での固定動作に関する風向変更信号が送信された風向制御部６３は、すべての水平フラップ３４ａ，３４ｂ，３４ｃ，３４ｄの状態が水平吹き固定状態となるように、駆動モータ３８ａ，３８ｂ，３８ｃ，３８ｄを制御する。これにより、各水平フラップ３４ａ，３４ｂ，３４ｃ，３４ｄの状態が、風向が自動的に変更されるスイング状態から風向が風向Ｐ０で維持される水平吹き固定状態に切り換わる。なお、初期冷房動作制御部６５は、対面スイング動作に関する風向変更信号および風量変更信号を送信してから最適時間が経過するまでは、風向制御部６３に水平吹き姿勢での固定動作に関する風向変更信号を送信しない。
【００９０】
ステップＳ１４において水平吹き姿勢での固定動作に関する風向変更信号を送信した後に、冷房サーモオン状態から冷房サーモオフ状態に所定回数（例えば、２回）以上状態が切り換わったと判定した場合（ステップＳ１５）、初期冷房動作制御部６５は、風量制御部６２に風量変更解除信号を送信する（ステップＳ１６）。初期冷房動作制御部６５から風量変更解除信号が送信された風量制御部６２は、ファンモータ３２ａを制御することで、室内ファン３２の風量を、第１風量Ｈからユーザによって設定されている設定風量に変更する。これにより、初期冷房動作制御部６５による初期冷房制御が終了する。なお、初期冷房動作制御部６５は、ステップＳ１５において水平吹き姿勢での固定動作に関する風向変更信号を送信した後に、冷房サーモオン状態から冷房サーモオフ状態に所定回数（例えば、２回）以上状態が切り換わったと判定するまでは、風量制御部６２に風量変更解除信号を送信しない。
【００９１】
このように、水平フラップ３４ａ，３４ｂ，３４ｃ，３４ｄの状態が対面スイング状態から水平吹き固定状態に切り換えられることで、冷房運転が開始されて室内の温度分布が均一となった後に、冷たい空気が室内の床面付近に溜まり難くすることができる。また、初期冷房制御において、水平フラップ３４ａ，３４ｂ，３４ｃ，３４ｄの状態を対面スイング状態から水平吹き固定状態に切り換えた時から所定の時間が経過するまで風量が第１風量Ｈとなるようにファンモータ３２ａを制御することで、例えば、水平フラップ３４ａ，３４ｂ，３４ｃ，３４ｄの状態を対面スイング状態から水平吹き固定状態に切り換えると同時に風量が第２風量Ｍとなるようにファンモータ３２ａが制御される場合と比較して、空気調和機１０において消費される電力を抑えることができる。
【００９２】
（６−４）変形例D
上記実施形態では、初期冷房制御が実行される期間である初期期間の長さは、予め実験的に得られた最適時間に設定されている。
【００９３】
これに代えて、室内ユニット３０が設置されている室内環境に応じて、初期期間の長さが決定されてもよい。例えば、過去の運転実績を学習することで、初期期間の長さが決定されてもよい。
【００９４】
ここで、本発明者は、上記評価試験の結果から、対面スイング状態で冷房運転を開始してから１６分４０秒が経過した時点と、水平吹き固定状態で冷房運転を開始してから最初に冷房サーモオン状態から冷房サーモオフ状態に切り換わる時点とがほぼ一致していることを見いだした。このため、本発明者は、水平吹き固定状態で冷房運転を開始させてから、冷房サーモオン状態から冷房サーモオフ状態に切り換わるまでに要した時間から、室内ユニット３０が設置されている部屋に応じた対面スイング動作の実行継続時間、すなわち、初期期間の長さを決定することができるという知見を得た。
【００９５】
以下に、初期冷房制御において、初期期間の長さ、すなわち、対面スイング動作が実行される時間（上記実施形態では、最適時間に相当する時間）が、過去の運転実績に基づいて決定される空気調和機１０について説明する。なお、本変形例において、制御部１６０以外の構成は、上記実施形態と同様の構成であるため、制御部１６０以外の構成については上記実施形態と同様の符号を用いて説明する。
【００９６】
制御部１６０は、ＣＰＵ及びメモリからなるマイクロコンピュータであって、室内ユニット３０および室外ユニット２０の有する各種機器の動作を制御する。また、制御部１６０は、図１４に示すように、受信部１６１と、風量制御部１６２と、風向制御部１６３と、初期冷房動作制御部１６５と、を備えている。なお、受信部１６１、風量制御部１６２および風向制御部１６３の構成は、上記実施形態と同様の構成であるため説明を省略する。
【００９７】
初期冷房動作制御部１６５は、冷房運転の運転開始時に初期冷房制御を実行する。また、初期冷房動作制御部１６５は、ユーザによって自動制御モードに設定されている場合に、初期冷房制御を実行する。さらに、初期冷房動作制御部１６５は、過去の運転実績を学習することで、初期冷房制御における対面スイング動作の実行時間（初期期間の長さ）である学習運転時間を決定する学習部１６６を有している。
【００９８】
初期冷房動作制御部１６５は、受信部１６１から冷房運転開始指示信号が送信された場合に、学習部１６６による学習が必要であるか否かを判定する。初期冷房動作制御部１６５は、学習部１６６によって学習運転時間が決定された時から数えて、冷房サーモオン状態と冷房サーモオフ状態とが切り換わった回数が所定回数（例えば、３０回）以上となった場合に、学習部１６６による学習運転時間の決定が必要であると判定する。すなわち、初期冷房動作制御部１６５は、学習部１６６によって学習運転時間が決定された時から数えて、冷房サーモオン状態と冷房サーモオフ状態とが切り換わった回数が所定回数未満である場合には、学習部１６６による学習運転時間の決定が必要でないと判定する。そして、学習部１６６による学習が必要でないと判定した場合には、初期冷房制御を開始する。
【００９９】
初期冷房動作制御部１６５は、初期冷房制御において、まず、水平フラップ３４ａ，３４ｂ，３４ｃ，３４ｄが対面スイング動作を開始し、かつ、室内ファン３２の風量が第１風量Ｈとなるように、風向制御部１６３および風量制御部１６２に制御信号を送信する。次に、初期冷房動作制御部１６５は、冷房運転が開始されてから学習部１６６によって決定された学習運転時間が経過した時に、水平フラップ３４ａ，３４ｂ，３４ｃ，３４ｄの対面スイング動作を停止させ、すべての水平フラップ３４ａ，３４ｂ，３４ｃ，３４ｄが水平吹き姿勢を採りつつ固定動作を開始するように風向制御部１６３に制御信号を送信するとともに、室内ファン３２の風量が第１風量Ｈからユーザによって設定されていた設定風量となるように風量制御部１６２に制御信号を送信することで、初期冷房制御を終了する。
【０１００】
なお、初期冷房動作制御部１６５から制御信号が送信されると、上記実施形態と同様に、風向制御部１６３は、４つの水平フラップ３４ａ，３４ｂ，３４ｃ，３４ｄのうち、２つの水平フラップ（例えば、水平フラップ３４ａ，３４ｃ）と、他の水平フラップ（例えば、３４ｂ，３４ｄ）とが互いに逆方向にスイングするように、各駆動モータ３８ａ，３８ｂ，３８ｃ，３８ｄを制御する。
【０１０１】
学習部１６６は、初期冷房動作制御部１６５によって学習運転時間の決定が必要であると判定された場合に、学習運転時間を決定する。なお、学習運転時間は、学習部１６６によって決定される毎に記憶部（図示せず）に保存される。
【０１０２】
また、学習部１６６は、全ての水平フラップ３４ａ，３４ｂ，３４ｃ，３４ｄを水平吹き固定状態として冷房運転が行われた場合に、冷房サーモオン状態が継続される時間、すなわち、冷房運転開始から冷房サーモオフ状態となるまでの冷房サーモオン継続時間を計測し、計測した冷房サーモオン継続時間を利用して学習運転時間を決定する。
【０１０３】
なお、ここでは、初期冷房動作制御部１６５が、学習部１６６による学習運転時間の決定が必要であるか否かを判定し、前記判定に基づいて学習部１６６によって学習運転時間が決定されているが、これに限定されず、室内ユニット３０が室内に設置された時に行われる試運転時にのみ学習部１６６によって学習運転時間が決定されてもよい。また、例えば、予め設定されている時刻（例えば、１３：００）に、初期冷房動作制御部１６５が、学習部１６６による学習運転時間の決定が必要であると判定してもよい。さらに、例えば、初期冷房動作制御部１６５が、前回、学習部１６６によって学習運転時間が決定された時から所定時間（例えば、２４時間）が経過している場合に、学習部１６６による学習運転時間の決定が必要であると判定してもよい。
【０１０４】
次に、初期冷房動作制御部１６５による制御動作について図１５及び図１６を用いて説明する。なお、上述のように、初期冷房動作制御部１６５は、冷房運転開始時であって、かつ、ユーザによって自動制御モードに設定されている場合にのみ、初期冷房制御を実行する。すなわち、暖房運転開始時、あるいは、冷房運転開始時であってもユーザによって手動制御モードに設定されている場合には、初期冷房動作制御部１６５による初期冷房制御は実行されない。
【０１０５】
初期冷房動作制御部１６５は、受信部１６１から送信される冷房運転開始指示信号を受信した場合（ステップＳ１０１）に、学習部１６６による学習運転時間の決定が必要であるか否かを判定する（ステップＳ１０２）。具体的には、室内に居るユーザによって為され冷房運転開始指示を受信した受信部１６１から送信される冷房運転開始指示信号を初期冷房動作制御部１６５が受信することで、初期冷房動作制御部１６５は学習部１６６による学習運転時間の決定が必要であるか否かを判定する。
【０１０６】
そして、初期冷房動作制御部１６５によって学習運転時間の決定が必要であると判定された場合、学習部１６６は、学習運転時間を決定する（ステップＳ１２０）。具体的には、学習部１６６は、水平吹き姿勢での固定動作に関する風向変更信号を風向制御部１６３に送信するとともに、風量変更信号を風量制御部１６２に送信する（ステップＳ１２１）。また、学習部１６６は、水平吹き姿勢での固定動作に関する風向変更信号および風量変更信号を送信すると同時にタイマ（図示せず）のカウントをスタートさせる（ステップＳ１２２）。初期冷房動作制御部１６５から水平吹き姿勢での固定動作に関する風向変更信号が送信された風向制御部１６３は、各水平フラップ３４ａ，３４ｂ，３４ｃ，３４ｄの状態が水平吹き固定状態となるように駆動モータ３８ａ，３８ｂ，３８ｃ，３８ｄを制御する。また、初期冷房動作制御部１６５から風量変更信号が送信された風量制御部１６２は、室内ファン３２の風量がユーザによって設定されている設定風量ではなく第１風量Ｈとなるように、ファンモータ３２ａの回転数を制御する。そして、学習部１６６は、水平吹き姿勢での固定動作に関する風向変更信号および風量変更信号を送信した後に、冷房サーモオン状態から冷房サーモオフ状態に切り換わったと判定した場合（ステップＳ１２３）、タイマで計測した冷房サーモオン継続時間と最適時間として予め設定されている時間（例えば、１６分４０秒）とを比較する（ステップＳ１２４）。ステップＳ１２４においてタイマで計測した時間と最適時間とを比較した結果、タイマで計測した時間が最適時間よりも短い場合、学習部１６６は、計測した時間を、学習運転時間に決定する（ステップＳ１２５）。また、ステップＳ１２４においてタイマで計測した時間と最適時間とを比較した結果、タイマで計測した時間が最適時間よりも長い場合、学習部１６６は、予め設定されている最適時間を、学習運転時間に決定する（ステップＳ１２６）。これにより、学習部１６６によって学習運転時間が決定される。また、学習部１６６は、学習運転時間を決定した後に、風量制御部１６２に風量変更解除信号を送信する（ステップＳ１２７）。
【０１０７】
また、初期冷房動作制御部１６５は、ステップＳ１０２において学習部１６６による学習運転時間の決定が必要でないと判定した場合、初期冷房制御を開始する。具体的には、初期冷房動作制御部１６５は、対面スイング動作に関する風向変更信号を風向制御部１６３に送信するとともに、風量変更信号を風量制御部１６２に送信する（ステップＳ１０３）。初期冷房動作制御部１６５から対面スイング動作に関する風向変更信号が送信された風向制御部１６３は、水平フラップ３４ａ，３４ｂ，３４ｃ，３４ｄの状態が対面スイング状態となるように駆動モータ３８ａ，３８ｂ，３８ｃ，３８ｄを制御する。また、初期冷房動作制御部１６５から風量変更信号が送信された風量制御部１６２は、室内ファン３２の風量が、ユーザによって設定されている設定風量ではなく第１風量Ｈとなるように、ファンモータ３２ａの回転数を制御する。
【０１０８】
そして、ステップＳ１０３において対面スイング動作に関する風向変更信号および風量変更信号を送信してから学習部１６６によって決定された学習運転時間が経過すると（ステップＳ１０４）、初期冷房動作制御部１６５は、風向変更解除信号を風向制御部１６３に送信するとともに、風量制御部１６２に風量変更解除信号を送信する（ステップＳ１０５）。初期冷房動作制御部１６５から風向変更解除信号が送信された風向制御部１６３は、すべての水平フラップ３４ａ，３４ｂ，３４ｃ，３４ｄの状態が水平吹き固定状態となるように、駆動モータ３８ａ，３８ｂ，３８ｃ，３８ｄを制御する。また、初期冷房動作制御部１６５から風向変更解除信号が送信された風量制御部１６２は、ファンモータ３２ａを制御することで、室内ファン３２の風量を、第１風量Ｈからユーザによって設定されている設定風量に変更する。これにより、初期冷房動作制御部１６５による初期冷房制御が終了する。なお、初期冷房動作制御部１６５は、対面スイング動作に関する風向変更信号および風量変更信号を送信してから学習運転時間が経過するまでは、風向変更解除信号及び風量変更解除信号を送信しない（ステップＳ１０４）。
【０１０９】
このように、予め計測された時間（タイマによって計測された冷房サーモオン状態が継続される時間）を利用して初期期間の長さである学習運転時間が決定されるため、例えば、初期期間の長さが予め設定されている場合と比較して、室内ユニット３０が設置されている室内環境に応じた対面スイング動作の実行時間を決定することができる。
【０１１０】
また、本変形例では、学習部１６６は、タイマで計測した冷房サーモオン継続時間と最適時間として予め設定されている時間（例えば、１６分４０秒）とを比較して、いずれか一方の時間を学習運転時間に決定しているが、学習運転時間を決定するために最適時間と比較される対象はこれに限定されない。
【０１１１】
ここで、本発明者は、上記評価試験の結果から、上記実施形態において対面スイング動作の実行継続時間（最適時間）とした１６分４０秒が、水平吹き固定状態で冷房運転を開始してから平均室温が設定温度Ｔｒｓに達するまでに要した時間（温度分布均一化期）の約６０％の時間とほぼ一致していることを見出した。このため、本発明者は、この点に着目することで、学習運転時間を決定するために最適時間として予め設定されている時間と比較される対象を、タイマで計測した冷房サーモオン継続時間の６０％以上（６０％〜１００％）の時間とすることができるという知見を得た。例えば、本変形例のステップＳ１２４において、タイマで計測した時間に０．６を掛けた時間（タイマで計測した時間×０．６）と最適時間とを比較し、その結果、タイマで計測した時間に０．６を掛けた時間が最適時間よりも短い場合、学習部１６６が、計測した時間に０．６を掛けた時間を、学習運転時間に決定する。また、ステップＳ１２４において、タイマで計測した時間に０．６を掛けた時間と最適時間とを比較した結果、タイマで計測した時間に０．６を掛けた時間が最適時間よりも長い場合、学習部１６６は、予め設定されている最適時間を、学習運転時間に決定する。このようにして、学習部１６６によって学習運転時間が決定されてもよい。
【０１１２】
（６−５）変形例Ｅ
図１７は、試験室内に設置した室内ユニット３０の有する水平フラップ３４ａ，３４ｂ，３４ｃ，３４ｄを対面スイング状態として空気調和機１０に冷房運転を行わせた場合の温度変化の推移を示している。
【０１１３】
上記実施形態では、初期冷房制御が実行される期間である初期期間の終了時点を、冷房運転が開始されてから予め実験的に得られた最適時間が経過した時点に設定している。
【０１１４】
ところで、本発明者は、上記評価試験と同様の条件で、対面スイング状態で冷房運転を開始した場合に吸込温度センサＴ１によって検出される吸込温度Ｔｒの結果から、対面スイング状態で冷房運転を開始してから１６分４０秒が経過するタイミングと、吸込温度Ｔｒが設定温度Ｔｒｓよりも１度低い温度（Ｔｒｓ−１）を下回るタイミングとがほぼ一致することを見いだした（図１７参照）。発明者は、この点に着目することで、初期期間の終了時点を決定するための代替手段として、吸込温度Ｔｒによる検知結果を利用することができるという知見を得た。
【０１１５】
以下に、初期冷房制御において、対面スイング動作が実行される時間（上記実施形態では、最適時間に相当する時間）が、吸込温度Ｔｒ及び設定温度Ｔｒｓから決定される空気調和機１０について説明する。なお、本変形例において、制御部２６０以外の構成は上記実施形態と同様の構成であるため、制御部２６０以外の構成については上記実施形態と同様の符号を用いて説明する。
【０１１６】
制御部２６０は、ＣＰＵ及びメモリからなるマイクロコンピュータであって、室内ユニット３０および室外ユニット２０の有する各種機器の動作を制御する。また、制御部２６０は、図１８に示すように、受信部２６１と、風量制御部２６２と、風向制御部２６３と、初期冷房動作制御部２６５と、を備えている。なお、受信部２６１、風量制御部２６２、風向制御部２６３の構成は、上記実施形態と同様の構成であるため説明を省略する。
【０１１７】
初期冷房動作制御部２６５は、冷房運転の運転開始時に初期冷房制御を実行する。また、初期冷房動作制御部２６５は、自動制御モードに設定されている場合に、初期冷房制御を実行する。さらに、初期冷房動作制御部２６５は、初期冷房制御において水平フラップ３４ａ，３４ｂ，３４ｃ，３４ｄによる対面スイング動作を停止するタイミングを決定する決定部２６６を有している。
【０１１８】
決定部２６６は、吸込温度センサＴ１から送信される吸込温度Ｔｒとユーザによって予め設定されている設定温度Ｔｒｓとに基づいて、初期冷房制御における対面スイング動作を停止させるタイミングを決定する。具体的には、決定部２６６は、吸込温度Ｔｒが設定温度Ｔｒｓから１度差し引いた値以下（Ｔｒ≦Ｔｒｓ−１）である場合に、室内の温度分布が均一になっていると判断する。そして、決定部２６６は、室内の温度分布が均一になっていると判断した時を、対面スイング動作を停止するタイミング、すなわち、初期期間の終了時点に決定する。また、決定部２６６は、吸込温度Ｔｒが設定温度Ｔｒｓから１度差し引いた値よりも高い（Ｔｒ＞Ｔｒｓ−１）場合には、室内の温度分布が均一になっていないと判断する。なお、決定部２６６による室内の温度分布が均一になっているか否かの判断は、冷房運転が開始されてから初期期間の終了時点が決定されるまで、すなわち、室内の温度分布が均一になっていると判断されるまで、所定時間（例えば、２０秒）毎に行われる。
【０１１９】
また、初期冷房動作制御部１６５は、初期冷房制御において、まず、水平フラップ３４ａ，３４ｂ，３４ｃ，３４ｄが対面スイング動作を開始し、かつ、室内ファン３２の風量が第１風量Ｈとなるように、風向制御部２６３および風量制御部２６２に制御信号を送信する。そして、初期冷房動作制御部２６５は、冷房運転が開始されてから決定部２６６によって室内の温度分布が均一になっていると判断された時に、水平フラップ３４ａ，３４ｂ，３４ｃ，３４ｄの対面スイング動作を停止させ、すべての水平フラップ３４ａ，３４ｂ，３４ｃ，３４ｄが水平吹き姿勢を採りつつ固定動作を開始するように風向制御部２６３に制御信号を送信するとともに、室内ファン３２の風量が第１風量Ｈからユーザによって設定されていた設定風量となるように風量制御部２６２に制御信号を送信することで、初期冷房制御を終了する。
【０１２０】
なお、初期冷房動作制御部２６５から制御信号が送信されると、上記実施形態と同様に、風向制御部２６３は、４つの水平フラップ３４ａ，３４ｂ，３４ｃ，３４ｄのうち、２つの水平フラップ（例えば、水平フラップ３４ａ，３４ｃ）と、他の水平フラップ（例えば、３４ｂ，３４ｄ）とが互いに逆方向にスイングするように、各駆動モータ３８ａ，３８ｂ，３８ｃ，３８ｄを制御する。
【０１２１】
次に、初期冷房動作制御部２６５による制御動作について図１９を用いて説明する。なお、上述のように、初期冷房動作制御部２６５は、冷房運転開始時であって、かつ、ユーザによって自動制御モードに設定されている場合にのみ、初期冷房制御を実行する。すなわち、暖房運転開始時、あるいは、冷房運転開始時であってもユーザによって手動制御モードに設定されている場合には、初期冷房動作制御部２６５による初期冷房制御は実行されない。
【０１２２】
初期冷房動作制御部２６５は、受信部２６１から送信される冷房運転開始指示信号を受信した場合（ステップＳ２０１）に、初期冷房制御の実行を開始する。具体的には、室内に居るユーザによって為され冷房運転開始指示を受信した受信部２６１から送信される冷房運転開始指示信号を初期冷房動作制御部２６５が受信することで、初期冷房動作制御部２６５は初期冷房制御の実行を開始する。
【０１２３】
初期冷房動作制御部２６５は、初期冷房制御において、まず、対面スイング動作に関する風向変更信号を風向制御部２６３に送信するとともに、風量変更信号を風量制御部２６２に送信する（ステップＳ２０２）。初期冷房動作制御部２６５から対面スイング動作に関する風向変更信号が送信された風向制御部２６３は、水平フラップ３４ａ，３４ｂ，３４ｃ，３４ｄの状態が対面スイング状態となるように駆動モータ３８ａ，３８ｂ，３８ｃ，３８ｄを制御する。また、初期冷房動作制御部２６５から風量変更信号が送信された風量制御部２６２は、室内ファン３２の風量が、ユーザによって設定されている設定風量ではなく第１風量Ｈとなるように、ファンモータ３２ａの回転数を制御する。
【０１２４】
そして、ステップＳ２０２において対面スイング動作に関する風向変更信号および風量変更信号を送信してから決定部２６６によって室内の温度分布が均一であると判断されると（ステップＳ２０３）、初期冷房動作制御部２６５は、風向変更解除信号を風向制御部２６３に送信するとともに、風量制御部２６２に風量変更解除信号を送信する（ステップＳ２０４）。初期冷房動作制御部２６５から風向変更解除信号が送信された風向制御部２６３は、すべての水平フラップ３４ａ，３４ｂ，３４ｃ，３４ｄの状態が水平吹き固定状態となるように、駆動モータ３８ａ，３８ｂ，３８ｃ，３８ｄを制御する。また、初期冷房動作制御部２６５から風向変更解除信号が送信された風量制御部２６２は、ファンモータ３２ａを制御することで、室内ファン３２の風量を、第１風量Ｈからユーザによって設定されている設定風量に変更する。これにより、初期冷房動作制御部２６５による初期冷房制御が終了する。なお、初期冷房動作制御部２６５は、対面スイング動作に関する風向変更信号および風量変更信号を送信してから決定部２６６によって室内の温度分布が均一であると判断されるまでは、風向変更解除信号及び風量変更解除信号を送信しない（ステップＳ２０３）。
【０１２５】
このように、初期期間の終了時点を、吸込温度Ｔｒの検知結果に基づいて決定することで、室内の環境に応じた初期冷房制御を実行することができる。
【０１２６】
また、本変形例では、初期期間の終了時点を、決定部２６６によって室内の温度分布が均一と判断された時点に決定しているが、これに限定されず、初期期間の終了時点を、予め設定されている最適時間が経過した時点、あるいは、決定部２６６によって室内の温度分布が均一と判断された時点のいずれか早い時点にしてもよい。また、変形例Ｄと本変形例とを組み合わせて、初期期間の終了時点を、変形例Ｄの学習運転時間の終了時点、あるいは、本変形例の室内の温度分布が均一と判断された時点のいずれか早い時点としてもよい。
【０１２７】
さらに、上記変形例では、初期冷房制御の終了時に、水平フラップ３４ａ，３４ｂ，３４ｃ，３４ｄの状態が水平吹き固定状態となるように風向制御部６３に制御信号が送信されるとともに、室内ファン３２の風量が第１風量Ｈからユーザによって設定されていた設定風量となるように風量制御部６２に制御信号が送信されている。これに代えて、変形例Ｃのように、水平フラップ３４ａ，３４ｂ，３４ｃ，３４ｄの状態が対面スイング状態から水平吹き固定状態に切り換えられた後、冷房サーモオン状態から冷房サーモオフ状態に所定回数（例えば、２回）以上切り換わるまでは、第１風量Ｈが維持される初期冷房制御が実行されてもよい。
【０１２８】
なお、上記変形例では、吸込温度Ｔｒが設定温度Ｔｒｓから１度差し引いた値以下である場合に、決定部２６６によって、室内の温度分布が均一になっていると判断されているが、室内の温度分布が均一であることを判断する方法はこれに限定されない。例えば、室内ユニット３０の決定部２６６が室内の複数箇所の温度を検出する無線センサネットワークと連携して、室内の温度分布が均一になっていると判断してもよい。また、例えば、空気調和機１０が室内ユニット３０の設置されている室内の床面温度を検出可能な床温センサを備えている場合には、吸込温度センサＴ１によって検出される吸込温度Ｔｒと床温センサによって検出される床面温度とが略同一（例えば、±０．５℃）である場合に、決定部２６６によって、室内の温度分布が均一になっていると判断されてもよい。
【産業上の利用可能性】
【０１２９】
本発明は、冷房運転が開始された後に空調室内の温度分布を均一にするために必要な時間を短縮することで、ユーザの快適性を向上させることができるため、天井近傍に設置される空調室内機への適用が有効である。
【符号の説明】
【０１３０】
３０      室内ユニット（空調室内機）
３２      室内ファン（ファン）
３４ａ    水平フラップ（第１フラップ／フラップ）
３４ｂ    水平フラップ（第２フラップ／フラップ）
３４ｃ    水平フラップ（第１フラップ／フラップ）
３４ｄ    水平フラップ（第２フラップ／フラップ）
３６      化粧パネル（吹き出し部）
３７      吹き出し口
３７ａ    吹き出し口（第１吹き出し口）
３７ｂ    吹き出し口（第２吹き出し口）
３７ｃ    吹き出し口（第３吹き出し口）
３７ｄ    吹き出し口（第４吹き出し口）
６５      初期冷房動作制御部（制御部）
１６６      学習部
２６４      決定部
Ｔ１      吸込温度センサ（温度センサ）
【先行技術文献】
【特許文献】
【０１３１】
【特許文献１】特開２００１−１３２９７６
【図１】
0005581845.tif 000002
【図２】
0005581845.tif 000003
【図３】
0005581845.tif 000004
【図４】
0005581845.tif 000005
【図５】
0005581845.tif 000006
【図６】
0005581845.tif 000007
【図７】
0005581845.tif 000008
【図８】
0005581845.tif 000009
【図９】
0005581845.tif 000010
【図１０】
0005581845.tif 000011
【図１１】
0005581845.tif 000012
【図１２】
0005581845.tif 000013
【図１３】
0005581845.tif 000014
【図１４】
0005581845.tif 000015
【図１５】
0005581845.tif 000016
【図１６】
0005581845.tif 000017
【図１７】
0005581845.tif 000018
【図１８】
0005581845.tif 000019
【図１９】
0005581845.tif 000020